【手続補正書】
【提出日】令和2年2月25日(2020.2.25)
【手続補正１】
【補正対象書類名】明細書
【補正対象項目名】００１６
【補正方法】変更
【補正の内容】
【００１６】
１つの可能な態様では、前記第２ネットワーク側機器は、前記第２ネットワークのハンドオーバー準備リソースを前記端末に設定した後、前記方法はさらに、  
前記第２ネットワーク側機器は、前記第１ネットワーク側機器にハンドオーバー準備確認メッセージを送信して、前記ハンドオーバー準備確認メッセージは、前記第２ネットワークのハンドオーバー計測設定を前記端末に送信するように前記第１ネットワーク側機器に指示することに用いられ、前記ハンドオーバー計測設定は、前記端末が前記第２ネットワークのネットワークチャンネル条件に対する第１計測結果が第１計測イベントを満たすと検出すると、ハンドオーバー確認メッセージを前記第２ネットワーク側機器に送信することに用いられるステップと、
前記第２ネットワーク側機器は、前記端末から送信したハンドオーバー確認メッセージを受信して、前記ハンドオーバー準備リソースに基づいて前記端末のハンドオーバー操作を完了させるステップとを含む。
【手続補正２】
【補正対象書類名】明細書
【補正対象項目名】０１０３
【補正方法】変更
【補正の内容】
【０１０３】
図５に示すように、図５は、本発明の実施例によるハンドオーバー制御方法であり、第１ネットワーク側機器、第２ネットワーク側機器、第３ネットワーク側機器及び端末を備えるモバイル通信ネットワークに適用され、前記第１ネットワーク側機器、前記第２ネットワーク側機器、前記第３ネットワーク側機器及び前記端末は、互いに通信可能に接続され、該方法は、ステップ５０１とステップ５０２を含み、具体的には、
ステップ５０１では、第３ネットワークに適用される第３ネットワーク側機器は、第１ネットワーク側機器から送信した、端末の第３端末情報を含む第２ハンドオーバー要求を受信する。
【手続補正３】
【補正対象書類名】明細書
【補正対象項目名】０１０６
【補正方法】変更
【補正の内容】
【０１０６】
図６に示すように、図６は、本発明の実施例によるハンドオーバー制御方法であり、第１ネットワーク側機器、第２ネットワーク側機器及び端末を備えるモバイル通信ネットワークに適用され、前記第１ネットワーク側機器、第２ネットワーク側機器、前記端末は、互いに通信可能に接続され、該方法は、ステップ６０１〜ステップ６０３を備え、具体的には、
ステップ６０１では、第２ネットワーク側機器は、第１ネットワーク側機器にアクセス関連情報を送信する。
【手続補正４】
【補正対象書類名】明細書
【補正対象項目名】０１１３
【補正方法】変更
【補正の内容】
【０１１３】
一つの可能な例では、前記第１ネットワーク側機器は、前記アクセス関連情報に基づいて、前記第２ネットワークを候補ネットワークとして決定する前、前記方法はさらに、
前記端末は、プリセット計測設定に従って、前記第２ネットワークのチャンネル条件を計測して第１計測結果を取得し、前記第１計測結果が第１計測イベントを満たすと検出すると、前記第１計測結果を第１ネットワーク側機器に報告する。
【手続補正５】
【補正対象書類名】明細書
【補正対象項目名】０１１５
【補正方法】変更
【補正の内容】
【０１１５】
前記第１計測イベントは、計測データの第１計測結果が第１プリセット閾値以上であってもよく、前記計測データは、たとえば、基準信号受信電力ＲＳＲＰ、受信信号強度インデックスＲＳＳＩ、基準信号受信品質ＲＳＲＱ、及び前記隣接セルのサービス品質がサービスセルのサービス品質より高いオフセットＡ３  Ｏｆｆｓｅｔなどであってもよい。前記第１計測結果は、具体的には、第２ネットワークの第２計測データから第１ネットワークの第１計測データを減算した差値であってもよい。
【手続補正６】
【補正対象書類名】明細書
【補正対象項目名】０１３５
【補正方法】変更
【補正の内容】
【０１３５】
前記処理ユニット７０２は、前記通信ユニットを介して前記第２ネットワーク側機器に第１ハンドオーバー要求を送信し、前記第１ネットワーク側機器は、第１ネットワークに適用され、前記第２ネットワーク側機器は、第２ネットワークに適用され、端末が前記第１ネットワークにアタッチし、前記第１ハンドオーバー要求は、前記端末の第１端末情報を含み、前記第１端末情報は、前記第２ネットワーク側機器が前記第１端末情報がハンドオーバー操作を開始するプリセット条件を満たすと決定すると、前記第２ネットワークのハンドオーバー準備リソースを前記端末に設定する。
【手続補正７】
【補正対象書類名】明細書
【補正対象項目名】０１４１
【補正方法】変更
【補正の内容】
【０１４１】
図７Ｂに示すように、該ネットワーク側機器７１０は、プロセッサ７１２、送受信器７１３、メモリ７１１を備える。選択肢として、ネットワーク側機器７１０はさらにバス７１４を含んでもよい。送受信器７１３、プロセッサ７１２及びメモリ７１１は、バス７１４を介して相互接続されてもよく、バス７１４は、周辺機器相互接続スタンダード（Ｐｅｒｉｐｈｅｒａｌ  Ｃｏｍｐｏｎｅｎｔ  Ｉｎｔｅｒｃｏｎｎｅｃｔ、略語ＰＣＩ）バス又は拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、略語ＥＩＳＡ）バスなどであってもよい。前記バス７１４は、アドレスバス、データバス、制御バスなどに分類されうる。表示の便宜上、図７Ｂには、１本の太線だけで示されるが、１本だけのバス又は１つのタイプのバスしかないと限らない。
【手続補正８】
【補正対象書類名】明細書
【補正対象項目名】０１４６
【補正方法】変更
【補正の内容】
【０１４６】
一例では、前記処理ユニット８０２は、前記第２ネットワークのハンドオーバー準備リソースを前記端末に設定した後、さらに、前記通信ユニット８０３を介してハンドオーバー準備確認メッセージを前記第１ネットワーク側機器に送信し、前記ハンドオーバー準備確認メッセージは、前記第２ネットワークのハンドオーバー計測設定を前記端末に送信するように前記第１ネットワーク側機器に指示することに用いられ、前記ハンドオーバー計測設定は、前記端末が前記第２ネットワークのネットワークチャンネル条件に対する第１計測結果が第１計測イベントを満たすと検出すると、ハンドオーバー確認メッセージを前記第２ネットワーク側機器に送信することに用いられ、また、前記処理ユニット８０２は、前記通信ユニット８０３を介して前記端末から送信したハンドオーバー確認メッセージを受信し、前記ハンドオーバー準備リソースに基づいて前記端末のハンドオーバー操作を完了させる。
【手続補正９】
【補正対象書類名】明細書
【補正対象項目名】０１５１
【補正方法】変更
【補正の内容】
【０１５１】
処理ユニット８０２がプロセッサであり、通信ユニット８０３が通信インターフェースであり、記憶ユニット８０１がメモリである場合、本発明の実施例に係るネットワーク側機器は、図８Ｂに示すネットワーク側機器であってもよい。
【手続補正１０】
【補正対象書類名】明細書
【補正対象項目名】０１５２
【補正方法】変更
【補正の内容】
【０１５２】
図８Ｂに示すように、該ネットワーク側機器８１０は、プロセッサ８１２、送受信器８１３、メモリ８１１を備える。選択肢として、ネットワーク側機器８１０はさらにバス８１４を備えてもよい。送受信器ス８１３、プロセッサ８１２及びメモリ８１１は、バス８１４を介して相互接続されてもよく、バス８１４は、周辺機器相互接続スタンダード（Ｐｅｒｉｐｈｅｒａｌ  Ｃｏｍｐｏｎｅｎｔ  Ｉｎｔｅｒｃｏｎｎｅｃｔ、略語ＰＣＩ）バス又は拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、略語ＥＩＳＡ）バスなどであってもよい。前記バス８１４は、アドレスバス、データバス、制御バスなどに分類されうる。表示の便宜上、図８Ｂには、１本の太線だけで示されるが、１本だけのバス又は１つのタイプのバスしかないと限らない。
【手続補正１１】
【補正対象書類名】明細書
【補正対象項目名】０１５８
【補正方法】変更
【補正の内容】
【０１５８】
図９Ｂに示すように、該ネットワーク側機器９１０は、プロセッサ９１２、送受信器９１３、メモリ９１１を備える。選択肢として、ネットワーク側機器９１０はさらにバス９１４を備えてもよい。送受信器９１３、プロセッサ９１２及びメモリ９１１は、バス９１４を介して相互接続されてもよく、バス９１４は、周辺機器相互接続スタンダード（Ｐｅｒｉｐｈｅｒａｌ  Ｃｏｍｐｏｎｅｎｔ  Ｉｎｔｅｒｃｏｎｎｅｃｔ、略語ＰＣＩ）バス又は拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、略語ＥＩＳＡ）バスなどであってもよい。前記バス９１４は、アドレスバス、データバス、制御バスなどに分類されうる。表示の便宜上、図９Ｂには、１本の太線だけで示されるが、１本だけのバス又は１つのタイプのバスしかないと限らない。
【手続補正１２】
【補正対象書類名】特許請求の範囲
【補正対象項目名】全文
【補正方法】変更
【補正の内容】
【特許請求の範囲】
【請求項１】
ハンドオーバー制御方法であって、
第１ネットワーク側機器は第２ネットワーク側機器に第１ハンドオーバー要求を送信し、前記第１ネットワーク側機器は第１ネットワークに適用され、前記第２ネットワーク側機器は第２ネットワークに適用され、端末は前記第１ネットワークにアタッチし、前記第１ハンドオーバー要求は前記端末の第１端末情報を含み、前記第１端末情報は前記第２ネットワーク側機器が第１端末情報がハンドオーバー操作を開始するプリセット条件を満たすと決定すると、前記第２ネットワークのハンドオーバー準備リソースを前記端末に設定することに用いられるステップを含む、ことを特徴とするハンドオーバー制御方法。
【請求項２】
前記第１ネットワーク側機器は、第２ネットワーク側機器に第１ハンドオーバー要求を送信した後、前記方法はさらに、
前記第１ネットワーク側機器は、前記第２ネットワーク側機器から送信したハンドオーバー準備確認メッセージを受信して、前記第２ネットワークのハンドオーバー計測設定を前記端末に送信し、前記ハンドオーバー計測設定は、前記端末が前記第２ネットワークのネットワークチャンネル条件を計測して第１計測結果を取得して、前記第１計測結果が第１計測イベントを満たすと検出すると、ハンドオーバー確認メッセージを前記第２ネットワーク側機器に送信することに用いられ、前記ハンドオーバー確認メッセージは、前記ハンドオーバー準備リソースに基づいて前記端末のハンドオーバー操作を完了させるように前記第２ネットワーク側機器に指示することに用いられるステップを含む、ことを特徴とする請求項１に記載の方法。
【請求項３】
前記第１ネットワーク側機器は、前記第２ネットワーク側機器から送信したハンドオーバー準備確認メッセージを受信した後、前記方法はさらに、
前記第１ネットワーク側機器は、前記第２ネットワーク側機器から送信したリソース解放メッセージを受信して、前記第２ネットワークのハンドオーバー準備リソースを解放し、前記リソース解放メッセージは、前記第２ネットワーク側機器が前記端末の第２端末情報を取得して、前記第２端末情報がハンドオーバー準備リソースを解放するプリセット条件を満たすと決定すると送信されるものであるステップを含む、ことを特徴とする請求項２に記載の方法。
【請求項４】
第１ネットワーク側機器は、第２ネットワーク側機器に第１ハンドオーバー要求を送信する前、前記方法はさらに、
前記第１ネットワーク側機器は、前記端末から送信した第２計測結果を受信し、前記第２計測結果は前記端末がプリセット計測設定に従って少なくとも１つのネットワークを計測して得るものであって、しかも前記第２計測結果は第２計測イベントを満たすステップと、
前記第１ネットワーク側機器は、前記第２計測結果に基づいて、前記第２ネットワークを含む前記少なくとも１つのネットワークのうちの少なくとも１つの候補ネットワークを決定するステップとを含む、ことを特徴とする請求項１−３のいずれか１項に記載の方法。
【請求項５】
前記方法はさらに、
前記第１ネットワーク側機器は第３ネットワーク側機器に第２ハンドオーバー要求を送信し、前記第２ハンドオーバー要求は前記端末の第３端末情報を含み、前記第３ネットワーク側機器は第３ネットワークに適用され、前記第３端末情報は前記第３ネットワーク側機器が前記第３端末情報がハンドオーバー操作を開始するプリセット条件を満たさないと決定すると、前記第１ネットワーク側機器にハンドオーバー準備拒否メッセージを送信することに用いられるステップと、
前記第１ネットワーク側機器は、前記ハンドオーバー準備拒否メッセージを受信して、前記第３ネットワークのハンドオーバー準備リソースを解放するステップとを含む、ことを特徴とする請求項１−４のいずれか１項に記載の方法。
【請求項６】
ネットワーク側機器であって、第１ネットワーク側機器、第２ネットワーク側機器、第３ネットワーク側機器及び端末を備えるモバイル通信システムに適用され、前記ネットワーク側機器は、前記第１ネットワーク側機器であり、前記ネットワーク側機器は、処理ユニット及び通信ユニットを備え、
前記処理ユニットは、前記通信ユニットを介して前記第２ネットワーク側機器に第１ハンドオーバー要求を送信し、前記第１ネットワーク側機器は、第１ネットワークに適用され、前記第２ネットワーク側機器は、第２ネットワークに適用され、端末が前記第１ネットワークにアタッチし、前記第１ハンドオーバー要求は、前記端末の第１端末情報を含み、前記第１端末情報は、前記第２ネットワーク側機器が前記第１端末情報がハンドオーバー操作を開始するプリセット条件を満たすと決定すると、前記第２ネットワークのハンドオーバー準備リソースを前記端末に設定することに用いられる、ことを特徴とするネットワーク側機器。
【請求項７】
前記処理ユニットは、前記通信ユニットを介して第２ネットワーク側機器に第１ハンドオーバー要求を送信した後、さらに、前記通信ユニットを介して、前記第２ネットワーク側機器から送信したハンドオーバー準備確認メッセージを受信し、前記通信ユニットを介して前記第２ネットワークのハンドオーバー計測設定を前記端末に送信し、前記ハンドオーバー計測設定は、前記端末が前記第２ネットワークのネットワークチャンネル条件を計測して第１計測結果を取得して、前記第１計測結果が第１計測イベントを満たすと検出すると、ハンドオーバー確認メッセージを前記第２ネットワーク側機器に送信し、前記ハンドオーバー確認メッセージは、前記ハンドオーバー準備リソースに基づいて前記端末のハンドオーバー操作を完了させるように前記第２ネットワーク側機器に指示することに用いられる、ことを特徴とする請求項６に記載のネットワーク側機器。
【請求項８】
前記処理ユニットは、前記通信ユニットを介して前記第２ネットワーク側機器から送信したハンドオーバー準備確認メッセージを受信した後、さらに、前記通信ユニットを介して前記第２ネットワーク側機器から送信したリソース解放メッセージを受信し、前記第２ネットワークのハンドオーバー準備リソースを解放し、前記リソース解放メッセージは、前記第２ネットワーク側機器が前記端末の第２端末情報を取得して、前記第２端末情報がハンドオーバー準備リソースを解放するプリセット条件を満たすと決定すると、前記第２ネットワークのハンドオーバー準備リソースを解放した後に送信されるものである、ことを特徴とする請求項７に記載のネットワーク側機器。
【請求項９】
前記処理ユニットは、前記通信ユニットを介して第２ネットワーク側機器に第１ハンドオーバー要求を送信する前、さらに、前記通信ユニットを介して前記端末から送信した第２計測結果を受信し、前記第２計測結果は前記端末がプリセット計測設定に従って少なくとも１つのネットワークを計測して得るものであって、しかも前記第２計測結果は第２計測イベントを満たし、また、前記処理ユニットは、前記第２計測結果に基づいて、前記第２ネットワークを含む前記少なくとも１つのネットワークのうちの少なくとも１つの候補ネットワークを決定する、ことを特徴とする請求項６−８のいずれか１項に記載のネットワーク側機器。
【請求項１０】
前記処理ユニットはさらに、前記通信ユニットを介して、第３ネットワーク側機器に第２ハンドオーバー要求を送信し、前記第２ハンドオーバー要求は前記端末の第３端末情報を含み、前記第３ネットワーク側機器は第３ネットワークに適用され、前記第３端末情報は前記第３ネットワーク側機器が前記第３端末情報がハンドオーバー操作を開始するプリセット条件を満たさないと決定すると、前記第１ネットワーク側機器にハンドオーバー準備拒否メッセージを送信することに用いられ、また、前記処理ユニットは前記通信ユニットを介して前記ハンドオーバー準備拒否メッセージを受信し、前記第３ネットワークのハンドオーバー準備リソースを解放する、ことを特徴とする請求項６−９のいずれか１項に記載のネットワーク側機器。
【請求項１１】
ネットワーク側機器であって、第１ネットワーク側機器、第２ネットワーク側機器、第３ネットワーク側機器及び端末を備えるモバイル通信システムに適用され、前記ネットワーク側機器は、前記第２ネットワーク側機器であり、前記ネットワーク側機器は、処理ユニット及び通信ユニットを備え、
前記処理ユニットは、前記通信ユニットを介して第１ネットワーク側機器から送信した第１ハンドオーバー要求を受信し、前記第１ネットワーク側機器は、第１ネットワークに適用され、前記第２ネットワーク側機器は、第２ネットワークに適用され、端末が前記第１ネットワークにアタッチし、前記第１ハンドオーバー要求は、前記端末の第１端末情報を含み、また、前記処理ユニットは、前記第１端末情報がハンドオーバー操作を開始するプリセット条件を満たすと決定すると、前記第２ネットワークのハンドオーバー準備リソースを前記端末に設定する、ことを特徴とするネットワーク側機器。
【請求項１２】
前記処理ユニットは、前記第２ネットワークのハンドオーバー準備リソースを前記端末に設定した後、さらに、前記通信ユニットを介してハンドオーバー準備確認メッセージを前記第１ネットワーク側機器に送信し、前記ハンドオーバー準備確認メッセージは、前記第２ネットワークのハンドオーバー計測設定を前記端末に送信するように前記第１ネットワーク側機器に指示することに用いられ、前記ハンドオーバー計測設定は、前記端末が前記第２ネットワークのネットワークチャンネル条件に対する第１計測結果が第１計測イベントを満たすと検出すると、ハンドオーバー確認メッセージを前記第２ネットワーク側機器に送信することに用いられ、また、前記処理ユニットは、前記通信ユニットを介して前記端末から送信したハンドオーバー確認メッセージを受信し、前記ハンドオーバー準備リソースに基づいて前記端末のハンドオーバー操作を完了させる、ことを特徴とする請求項１１に記載のネットワーク側機器。
【請求項１３】
前記処理ユニットは、前記ハンドオーバー準備リソースに基づいて前記端末のハンドオーバー操作を完了させた後、さらに、前記通信ユニットを介して前記端末の第２端末情報を取得し、前記第２端末情報がハンドオーバー準備リソースを解放するプリセット条件を満たすと決定すると、前記第２ネットワークのハンドオーバー準備リソースを解放し、
又は、
前記処理ユニットは、前記ハンドオーバー準備リソースに基づいて前記端末のハンドオーバー操作を完了させた後、さらに、前記通信ユニットを介して前記端末の第２端末情報を取得し、前記第２端末情報がハンドオーバー準備リソースを解放するプリセット条件を満たすと決定すると、前記通信ユニットを介して、前記第２ネットワークのハンドオーバー準備リソースを解放するように前記第１ネットワーク側機器に指示するためのリソース解放メッセージを、前記第１ネットワーク側機器に送信する、ことを特徴とする請求項１２に記載のネットワーク側機器。
【請求項１４】
ネットワーク側機器であって、第１ネットワーク側機器、第２ネットワーク側機器及び端末を備えるモバイル通信システムに適用され、前記ネットワーク側機器は、前記第１ネットワーク側機器であり、前記ネットワーク側機器は、処理ユニット及び通信ユニットを備え、
前記処理ユニットは、前記通信ユニットを介して第２ネットワーク側機器から送信したアクセス関連情報を受信し、前記第１ネットワーク側機器は、第１ネットワークに適用され、前記第２ネットワーク側機器は、第２ネットワークに適用され、端末が前記第１ネットワークにアタッチし、また、前記処理ユニットは、前記アクセス関連情報に基づいて、前記第２ネットワークを候補ネットワークとして決定し、ハンドオーバー要求を前記第２ネットワーク側機器に送信し、前記ハンドオーバー要求は、前記第２ネットワークのハンドオーバー準備リソースを前記端末に設定するように前記第２ネットワーク側機器に指示することに用いられる、ことを特徴とするネットワーク側機器。
【請求項１５】
前記処理ユニットは、前記アクセス関連情報に基づいて、前記第２ネットワークを候補ネットワークとして決定する前、さらに、前記通信ユニットを介して、前記端末が報告した第１計測結果を受信し、前記第１計測結果は前記端末がプリセット計測設定に従って前記第２ネットワークを計測して得るものであって、しかも前記第１計測結果は第１計測イベントを満たし、
前記処理ユニットは、具体的には、前記第１計測結果及び前記アクセス関連情報に基づいて、前記第２ネットワークを候補ネットワークとして決定する、ことを特徴とする請求項１４に記載のネットワーク側機器。